(57)【要約】【課題】ブロワケースのヒートシンクが設けられた凹部に水が溜まるのを防止できる送風機を提供する。【解決手段】この送風機１１は、回転するファン１５とこのファン１５の周囲を覆うブロワケース３０とを備え、このブロワケース３０の底部に凹部４３が形成され、この凹部４３にヒートシンク４５の放熱部４５ａが露出して配設された送風機１１において、凹部４３のうち前記ブロワケース３０内の空気流の下流側の部分には、その深さが上流側から下流側に向かうにしたがい徐々に浅くなるような斜面４３ｅが形成されている。【選択図】図３
2008297916.tif 000002
【特許請求の範囲】
【請求項１】
回転するファン（１５）と、このファン（１５）の周囲を覆うブロワケース（３０）とを備え、このブロワケース（３０）の底部に凹部（４３）が形成され、この凹部（４３）にヒートシンク（４５）の放熱部（４５ａ）を露出して配設した送風機において、
前記凹部（４３）のうち前記ブロワケース（３０）内の空気流の下流側の部分に、その深さが上流側から下流側に向かうにしたがい徐々に浅くなるような斜面（４３ｅ）が形成されていることを特徴とする送風機。
【請求項２】
前記凹部（４３）のうち前記空気流の上流側の端部に、その深さが下流側に向かうにしたがい徐々に深くなるような斜面（５１ｆ）が形成されていることを特徴とする請求項１に記載の送風機。
【請求項３】
前記ヒートシンク（７１）の放熱部（７１ａ）は、前記凹部（６１）の前記下流側の斜面（６１ｆ）に設けられていることを特徴とする請求項１又は請求項２に記載の送風機。
【請求項４】
前記ブロワケース（３０）のスクロールノーズ（３７）近傍の底面に半径方向に延在するリブ（８３）を設けたことを特徴とする請求項１ないし請求項３のいずれか１項に記載の送風機。
【発明の詳細な説明】
【技術分野】
【０００１】
本発明は、モータとファンが一体に設けられブロワケースの底部にヒートシンクが露出して設けられた送風機に関する。
【背景技術】
【０００２】
従来、この種の送風機としては、図９に示すようなものが知られている。この送風機１は、モータ２の出力軸にシロッコ型のファン３が装着され、上方から空気を吸入して外周側に吐出するようになっている。このファン３の外周には、このファン３から吐出された空気を吹出し口に導くブロワケース４が設けられており、ファンの外周側に形成された外周壁４ａとファンの下方に形成された底壁４ｂとを有している。
【０００３】
また、このブロワケース４の下側のプリント基板５には回路素子６が実装されており、この回路素子６にはヒートシンク７が固定されている。そして、このヒートシンク７のフィン７ａはブロワケース４内に露出して装着されている。
【０００４】
このような送風機１において、吐出容量の大きいものは、素子の発熱量も増加し、ヒートシンクのフィンを大きくする必要がある。このため、ブロワケース４の底壁を凹状に陥没させ、この凹部に大きなフィンを有するヒートシンクを装着するようにしている。
【０００５】
しかしながら、このような送風機にあっては、ブロワケース４の吸入口４ｃから侵入した雨等の水がブロワケース４の凹部に溜まってしまう。このため、この水がヒートシンクの隙間から内部に入ってしまい、基板等がショートしてしまうおそれがあった。また、水が溜まるため、カビ、臭気等が発生するおそれもあった。
【０００６】
なお、送風機としては特許文献１に示すようなものが知られている。
【０００７】
【特許文献１】特開２００２−３３５６４７号公報
【発明の開示】
【発明が解決しようとする課題】
【０００８】
本発明は、上記問題点を解決することをその課題とし、ブロワケースのヒートシンクが設けられた凹部に水が溜まるのを防止することができる送風機を提供する。
【課題を解決するための手段】
【０００９】
上記課題を解決するため、回転するファン（１５）と、このファン（１５）の周囲を覆うブロワケース（２７）とを備え、このブロワケース（２７）の底部に凹部（４３）が形成され、この凹部（４３）にヒートシンク（４５）の放熱部（４５ａ）が露出して配設された送風機において、凹部（４３）のうちブロワケース（２７）内の空気流の下流側の部分に、その深さが上流側から下流側に向かうにしたがい徐々に浅くなるような斜面（４３ｅ）が形成されている手段を採用することができる。
【００１０】
この手段を採用すると、凹部（４３）内に侵入、落下した水滴を、ブロワケース（２７）内の空気流を利用して排出することができ、凹部（４３）内に水が溜まることを防止することができる。
【００１１】
上記課題を解決するため、凹部（５１）のうち空気流の上流側の端部に、その深さが下流側に向かうにしたがい徐々に深くなるような斜面（５１ｆ）が形成されている手段を採用することができる。したがって、ブロワケース（２７）内の空気流をスムーズかつ容易に凹部（５１）内に導くことができ、凹部内の水滴をより効率的に排出することができる。
【００１２】
上記課題を解決するため、ヒートシンク（７１）の放熱部（７１ａ）は、凹部（６１）の下流側の斜面（６１ｆ）に設けられている手段を採用することができる。したがって、斜面（６１ｆ）を凹部（６１）の全長にわたって形成することができ、斜面の傾斜を緩やかなものにすることができ、水滴の排出をよりスムーズに行うことができる。
【００１３】
上記課題を解決するため、ブロワケース（２７）のスクロールノーズ（３７）近傍の底面に半径方向に延在するリブ（８３）を設けた手段を採用することができる。したがって、凹部（４３）より上流側から入り込んでくる水滴を阻止することができ、凹部に入り込む水滴の量を大幅に削減することができる。
【００１４】
なお、上記各手段に付した括弧内の符号は、後述する実施形態に記載の具体的手段との対応関係を示す一例である。
【発明を実施するための最良の形態】
【００１５】
以下、本発明の実施の形態について、図１ないし図８を参照して説明する。
【００１６】
図１及び図２中、符号１１は送風機を示す。この送風機１１は、回転軸方向から吸入した空気を半径方向外方に向けて吹出す遠心式の送風機であって、駆動源としてモータ１３を有している。このモータ１３の出力軸１３ａには、遠心式の多翼ファンであるファン１５が設けられている。このファン１５は、略ドーム状に上方に膨出するとともに中央部に出力軸１３ａが固定されたボス部１７を有している。ボス部１７の外周には、周方向に等間隔に多数のブレード１９が軸に平行に配設されている。これらブレード１９は、半径方向外方に向かうにしたがい周方向に湾曲して形成されており、その上端を環状のシュラウド２１によって連結されている。そして、この環状のシュラウド２１の内側はファンの吸入口２３とされるとともに、多数のブレード１９の外周端の間がファンの吐出口２５となっている。
【００１７】
一方、モータ１３には、その外周から径方向外方に延出するモータフランジ１３ｂが設けられている。このモータフランジ１３ｂは、ファン１５の下縁に平行かつ近接して径方向に延在し、ファン１５の外周端の直下の位置まで延出して形成されている。
【００１８】
また、ファン１５の外周には、断面略コ字状に形成されたスクロールケーシング２７が設けられている。このスクロールケーシング２７は、シュラウド２１の上端縁から僅かに離間した位置から径方向外方に環状に延出して形成された上壁部２９と、この上壁部２９の外周縁から下方に延出してファン１５の径方向外方を覆う側壁部３１と、この側壁部３１の下端縁からファン１５の外周側下端縁近傍まで径方向内方に延出して形成された底壁部３３とを有している。そして、環状の上壁部２９の内側は吸入口３５とされるとともに、底壁部３３の内周部は、モータフランジ１３ｂに接続されている。ここで、このスクロールケーシング２７とモータフランジ１３ｂはブロワケース３０を構成する。
【００１９】
このスクロールケーシング２７は、図１に示すように、平面視渦巻状をしており、その側壁部３１は、スクロールノーズ部３７の位置が最もファン１５の外周に近く、このスクロールノーズ部３７から図１中時計回りに回転するにつれてファン１５の外周との距離が大きくなるように形成されている。そして、上壁部２９、側壁部３１、底壁部３３とファン１５の外周とに囲まれた渦巻風路３９が形成され、この渦巻風路３９の流体通過断面積はスクロールノーズ部３７から時計回りに回転するにしたがい拡大するようになっている。このスクロールケーシング２７には、スクロールノーズ部３７からファン１５の外周を一回転したところで接線方向へ向かう吐出口４１が形成されており、ここから渦巻風路を通過してきた空気が吐出されるようになっている。
【００２０】
このような構成において、モータ１３によってファン１５を回転すると、外気は、スクロールケーシング２７の吸入口３５からファンの吸入口２３を通ってファン１５に吸入され、ブレード１９によって回転されながらブレード１９外側の渦巻風路３９に排出される。そして、渦巻通路３９に排出された空気は、図１中時計回りに回転して吐出口４１から吐出される。
【００２１】
ファン１５を構成するブレード１９の下側に位置するモータフランジ１３ｂには、スクロールノーズ３７からファン１５の回転方向に若干進んだ位置からファンの回転方向に延在する凹部４３が形成されている。この凹部４３は、内周側と外周側とにそれぞれ内周壁４３ａと外周壁４３ｂとを有し、底部に底壁４３ｃを有している。また、この凹部４３は、図３に示すように、そのスクロールノーズ３７側に略垂直に形成された上流側側壁４３ｄを有している。また、この凹部４３の下流側には、底壁４３ｃから緩やかに上ってモータフランジ１３ｂに至る下流側斜面４３ｅが形成されている。
【００２２】
このような凹部４３の底壁４３ｃには、平面視円弧状のヒートシンク４５が配設されている。このヒートシンク４５はヒートシンク平板部４５ａと放熱フィン４５ｂを有しており、ヒートシンク平板部４５ａは凹部４３の底壁４３ｃに装着され、放熱フィン４５ｂは底壁４３ｃから上方に突出して配置されている。また、このヒートシンク４５の下部には、プリント基板に実装された発熱量の大きい回路素子（図示せず）が接続固定されている。
【００２３】
なお、上記実施の形態では、ブロワケース３０は、スクロールケーシング２７とモータフランジ１３ｂから構成され、図２に示すように、ファン１５の外周下端部直下で接続されているが、これに限る必要はなく、設計、コスト等を考慮して他の位置で接続されるようにしてもよい。また、ブロワケース３０を一体で構成するようにしてもよい。
【００２４】
このような構成において、モータ１３を駆動させると、ファン１５が図１中時計回りに回転する。これによって吸入口３５から吸込まれた空気は、ファン１５によって回転され、スクロールケーシング２７内を時計回りに回転しながら吹出し口４１から吐出される。またこのスクロールケーシング２７内の旋回流に伴い、ファン１５とモータフランジ１３ｂとの間にも旋回流が発生し、この旋回流によって凹部４３内のヒートシンク４５が冷却され、このヒートシンク４５に接続固定された回路素子が冷却される。
【００２５】
ここで、吸入口３５からは空気とともに雨、雪等の水滴が侵入する。これらの水滴は、モータフランジ１３ｂ上を空気流にのって下流方向に移動し、ヒートシンク４５が設けられた凹部４３内に落下する。この凹部４３内に落下した水滴Ｗは、空気流にしたがい凹部４３の底壁４３ｃ上を下流方向に移動する。そして、これらの水滴Ｗは、空気流に押されて下流側斜面４３ｅを上り、モータフランジ１３ｂ上を吹出し口４１に向かい吐き出される。
【００２６】
このように、この送風機１１にあっては、凹部４３の空気流下流側に、底壁４３ｃから緩やかに上ってモータフランジ１３ｂに至る下流側斜面４３ｅが形成されているから、凹部４３内に侵入落下した水滴を、ファン１５とモータフランジ１３ｂとの間の空気流を利用して排出することができる。したがって、ヒートシンク４５が設けられた凹部４３内に水が溜まることを防止することができ、この水がプリント基板等に浸入してショート等の不具合を生じるのを防ぐことができる。また、溜まった水により、カビ、臭気とが発生することも防止することができる。
【００２７】
図４は、本発明の第２の実施の形態を示す図である。
【００２８】
この実施の形態においては、この凹部５１の下流側に下流側斜面４３ｅが形成されているばかりでなく、その上流側にも、モータフランジ１３ｂから緩やかに下って凹部４３の底壁４３ｃ至る上流側斜面５１ｆが形成されている。したがって、凹部５１内への風の回りを良くすることができ、ファン１５とモータフランジ１３ｂとの間の空気流をスムーズかつ容易に凹部５１内に導くことができ、凹部５１内の水滴をより効率的に排出することができる。
【００２９】
図５は、本発明の第３の実施の形態を示す図である。この実施の形態において凹部６１は、その空気流の上流側に略垂直に形成された上流側側壁６１ｄを有している。また、この上流側側壁６１ｄの下端６１ｅから下流側に向かって緩やかに上ってモータフランジ１３ｂに至る斜面６１ｆが形成されている。
【００３０】
また、この凹部６１内には、ヒートシンク７１が設けられ、このヒートシンク７１は、放熱用フィン７１ａを有している。この放熱フィン７１ａは、凹部６１内に収まるように形成されており、上流側側壁６１ｄ側が長く下流側にいくにしたがい短くなるように全体として楔状に形成されている。したがって、斜面６１ｆを凹部６１の全長にわたって形成することができ、斜面の傾斜を緩やかなものにすることができる。このため、水滴の排出をよりスムーズに行うことができ、プリント基板のショートやカビ、臭気の発生をより効率的に防止することができる。
【００３１】
なお、この実施の形態においては、上流側側壁６１ｄをモータフランジ１３ｂに対して垂直に形成してるが、これに限る必要はなく、図４に示す第２の実施の形態のように傾斜して設けてもよい。
【００３２】
図６ないし図８は、第４の実施の形態を示す図である。この実施の形態の送風機８１は、図１ないし図３に示す第１の実施の形態において、モータフランジ１３ｂ上で凹部４３より上流側のスクロールノーズ部３７に、リブ８３が形成されたものである。このリブ８３は、モータフランジ１３ｂの最も内側から半径方向外方に延びスクロールケーシング２７の底壁部３３を経て側壁部３１に到るように形成されている。そして、モータフランジ１３ｂ及び底壁部３３上をこのリブ８３より上流側から移動してくる水滴を、図６中矢印Ｆに示すように、吹出し口４１側に誘導するようになっている。したがって、凹部４３より上流側から入り込んでくる水滴を阻止することができ、凹部４３に入り込む水滴の量を大幅に削減することができる。
【００３３】
なお、この実施の形態においては、図３に示す第１の実施の形態にリブ８３を設けた場合について説明しているが、これに限る必要はなく、図４、図５に示す第２、第３の実施の形態にリブ８３を設けてもよい。
【図面の簡単な説明】
【００３４】
【図１】本発明の第１の実施の形態である送風機を示す平面図。
【図２】図１に示す送風機のＡ−Ａ線に沿う半断面図。
【図３】図１に示す送風機のＢ−Ｂ線に沿う断面図。
【図４】本発明の第２の実施の形態である送風機の凹部及びヒートシンクを示す周方向断面図。
【図５】本発明の第３の実施の形態である送風機の凹部及びヒートシンクを示す周方向断面図。
【図６】本発明の第４の実施の形態である送風機を示す平面図。
【図７】図６に示す送風機の概略を示す図。
【図８】図６に示す送風機のＣ−Ｃ線に沿う断面図。
【図９】従来の送風機を示す縦断面図。
【符号の説明】
【００３５】
１１    送風機
１５    ファン
２７    スクロールケーシング
３３    底壁部
４３    凹部
４３ｅ    下流側斜面
４５    ヒートシンク
４５ｂ    放熱フィン
５１    凹部
５１ｆ    上流側斜面
６１    凹部
６１ｆ    斜面
７１    ヒートシンク
８１    送風機
８３    リブ
【図１】
2008297916.tif 000003
【図２】
2008297916.tif 000004
【図３】
2008297916.tif 000005
【図４】
2008297916.tif 000006
【図５】
2008297916.tif 000007
【図６】
2008297916.tif 000008
【図７】
2008297916.tif 000009
【図８】
2008297916.tif 000010
【図９】
2008297916.tif 000011